(57)【特許請求の範囲】
【請求項１】
正面が開放され、上部に照明体を収納する照明収納部が設けられた箱体内に、
前記照明収納部がある上部を除いて収納部が設けられ、
前記収納部の周縁に、ミラー付き扉体を開閉可能に取り付ける被取付部が複数設けられた共用ミラーキャビネット枠であって、
前記被取付部を、設けられている前記収納部の周縁の厚みに比べ薄厚に形成し、かつ、背面側にリブを設けて構成した、
ことを特徴とする共用ミラーキャビネット枠。
【請求項２】
請求項１に記載の共用ミラーキャビネット枠において、
前記収納部は、縦に仕切る縦仕切りと、
この縦仕切りにより区画された２つの空間の一方の第一収納部を上下に区切る棚体と、
前記縦仕切りにより区画された２つの空間の他方の第二収納部に形成され、収納体を出し入れ可能にする段部と、
が設けられている、
ことを特徴とする共用ミラーキャビネット枠。
【請求項３】
請求項２に記載の共用ミラーキャビネット枠を備え、
前記箱体の第一収納部の周縁の被取付部のみに、前記ミラー付き扉体が取り付けられるとともに、前記第二収納部に設けられた段部には、前記ミラーキャビネット枠よりも正面側に張り出した正面部を有する収納体が収納されてなる、
ことを特徴とするミラーキャビネット。
【請求項４】
請求項２に記載の共用ミラーキャビネット枠を備え、
前記箱体の第一収納部および第二収納部の周縁の被取付部に、前記ミラー付き扉体が取り付けられるとともに、前記第二収納部に設けられた段部には、取り付けられた前記ミラー付き扉体よりも背面側に収まる正面部を有する収納体が収納されてなる、
ことを特徴とするミラーキャビネット。
【発明の詳細な説明】
【技術分野】
【０００１】
本発明は、洗面化粧台の上方に設置され、収納とミラーとの機能を兼ね備えたミラーキャビネット、および、これを構成するための樹脂成形品からなるミラーキャビネット枠に関し、特に、一面鏡、三面鏡等、多種多様な機種に共通して用いることが可能な共用ミラーキャビネット枠と、これを備えたミラーキャビネットに関する。
【背景技術】
【０００２】
洗面化粧台の上方に設置されるミラーキャビネットは、従来から、射出成形又は真空成形により一体成形されたミラーキャビネット枠に、棚や照明器具、扉、鏡（扉を兼ねて構成する場合を含む。）、トレー等を備えて構成されている。このようなミラーキャビネットは、例えば、下記特許文献１の図１等にて提案されている一面鏡のもの、また、例えば、下記特許文献２の図１等にて提案されている三面鏡のものなど、需要者の使い勝手、要望等を考慮し、各人が快適に使用することができるように多機種が用意されている。
【０００３】
しかし、ミラーキャビネットを構成するミラーキャビネット枠は、その製造に関し、多種多様な機種に対してそれぞれ別個の金型を用意しているので、金型への投資額が非常に高くなり、製造コストが高くなるという問題があった。一方、コスト高になるのを回避しようとすると様々な形状の金型を準備することができないので、製品形状が限られてしまうという問題となる。
【０００４】
そこで、例えば、下記特許文献３では、上記のような問題を解決するため、射出成形や真空成形を組み合わせることにより、様々な機種の製品を比較的安価に得ることができ、組み立ても容易なミラーキャビネットが提案されている。
【先行技術文献】
【特許文献】
【０００５】
【特許文献１】特開２００１−１６１４６５号公報
【特許文献２】特開平１０−７５９０７号公報
【特許文献３】特開平５−３００８１５号公報
【発明の概要】
【発明が解決しようとする課題】
【０００６】
上述の通り、従来のミラーキャビネットでは、製品毎に別個に金型を用意していたので、製造コストが高くなるという問題があった。また、特許文献３にて提案される射出成形や真空成形を組み合わせる方策のほかに、様々な機種の製品を安価に得ることができるような方策が望まれているという現状もあった。
【０００７】
本発明は、上記実情に鑑み提案されたもので、形状等を工夫することで、多種多様な機種毎に別個に金型を用意する必要がなく、ミラー扉、取り付け棚（トレー）等を変更することで対応することができ、様々な機種の製品を安価に得ることが可能な共用ミラーキャビネット枠と、これを備えたミラーキャビネットを提供することを目的とする。
【課題を解決するための手段】
【０００８】
上記目的を達成するために、本発明は、正面が開放され、上部に照明体を収納する照明収納部が設けられた箱体内に、前記照明収納部がある上部を除いて収納部が設けられ、前記収納部の周縁に、ミラー付き扉体を開閉可能に取り付ける被取付部が複数設けられた共用ミラーキャビネット枠であって、前記被取付部を、設けられている前記収納部の周縁の厚みに比べ薄厚に形成し、かつ、背面側にリブを設けて構成した、ことを特徴とする。また本発明は、上記収納部において縦に仕切る縦仕切りと、この縦仕切りにより区画された２つの空間の一方の第一収納部を上下に区切る棚体と、前記縦仕切りにより区画された２つの空間の他方の第二収納部に形成され、収納体を出し入れ可能にする段部と、が設けられている、ことを特徴とする。
【０００９】
本発明に係るミラーキャビネットは、上記共用ミラーキャビネット枠を備え、前記箱体の第一収納部の周縁の被取付部のみに、前記ミラー付き扉体が取り付けられるとともに、前記第二収納部に設けられた段部には、前記ミラーキャビネット枠よりも正面側に張り出した正面部を有する収納体が収納されてなることを特徴とする。
【００１０】
また、本発明に係るミラーキャビネットは、上記共用ミラーキャビネット枠を備え、前記箱体の第一収納部および第二収納部の周縁の被取付部に、前記ミラー付き扉体が取り付けられるとともに、前記第二収納部に設けられた段部には、取り付けられた前記ミラー付き扉体よりも背面側に収まる正面部を有する収納体が収納されてなるものであっても好ましい。
【発明の効果】
【００１１】
本発明に係る共用ミラーキャビネット枠では、正面が開放され、上部に照明体を収納する照明収納部が設けられた箱体内に、照明収納部がある上部を除いて収納部が設けられ、収納部の周縁に、ミラー付き扉体を開閉可能に取り付ける被取付部が複数設けられた共用ミラーキャビネット枠であって、被取付部を、設けられている収納部の周縁の厚みに比べ薄厚に形成し、かつ、背面側にリブを設けて構成したので、ビス等によってミラー付き扉体を取り付けた被取付部のみに穴が形成され、それ以外の被取付部に穴が形成されることがないので、外観が審美であって、製品毎に個別に金型を用意して製造することと同様の効果を得ることができる。また本発明に係る共用ミラーキャビネット枠では、収納部において、縦に仕切る縦仕切りと、この縦仕切りにより区画された２つの空間の一方の第一収納部を上下に区切る棚体と、縦仕切りにより区画された２つの空間の他方の第二収納部に形成され、収納体を出し入れ可能にする段部と、を設けて構成したので、上記効果のほか、照明体、収納体をそれぞれ所定の位置に収納し、ミラー付き扉体を被取付部に取り付けることで、例えば、ミラー付き扉体を第一収納部のみを覆うように取り付けること、ミラー付き扉体を第一収納部および第二収納部の全体を覆うように取り付けること、さらには、ミラー付き扉体を一面鏡又は三面鏡とすること等の多種多様な組み合わせによりミラーキャビネットを構成することを可能とし、多種多様な機種に共通して用いることができる共用ミラーキャビネット枠として活用することができる。したがって、本発明では、多種多様な機種毎に別個に金型を用意する必要がなくなって、ミラー扉、取り付け棚（トレー）等を変更することのみで対応することができ、様々な機種製品を安価に得ることが可能な共用ミラーキャビネット枠を提供することができる。
【００１２】
そして、本発明に係るミラーキャビネットは、上記共用ミラーキャビネット枠を備え、箱体の第一収納部の周縁の被取付部のみに、ミラー付き扉体が取り付けられるとともに、第二収納部に設けられた段部には、ミラーキャビネット枠よりも正面側に張り出した正面部を有する収納体が収納されてなるものとすれば、箱体の第一収納部の周縁の被取付部のみにミラー付き扉体が取り付けられ、第二収納部に設けられた段部には収納性を重視した収納体を収納することができるミラーキャビネットとして活用することができる。また、被取付部に取り付けるミラー付き扉体は、被取付部が複数設けられているので、一面鏡、二面鏡、三面鏡等のいずれも適用することも可能となる。
さらに、上記共用ミラーキャビネット枠を備え、箱体の第一収納部および第二収納部の周縁の被取付部に、ミラー付き扉体が取り付けられるとともに、第二収納部に設けられた段部には、取り付けられたミラー付き扉体よりも背面側に収まる正面部を有する収納体が収納されてなるものとすれば、上記共用ミラーキャビネット枠の上部を除いた大面積のミラーを有するミラーキャビネットを提供することができるので、ミラーの機能を重視しつつ、かつ、第二収納部に収納される収納体の機能も維持したミラーキャビネットとして活用することができる。もちろん、この場合も、被取付部に取り付けるミラー付き扉体は、被取付部が複数設けられているので、一面鏡、二面鏡、三面鏡等のいずれも適用することが可能となる。
【００１３】
すなわち、本発明の共用ミラーキャビネット枠を備えてミラーキャビネットを構成すれば、ミラー付き扉体が取り付けられない被取付部に穴が認められず、外観が審美であって、製品毎に個別に金型を用意して製造することと同様の効果を得つつ、多種多様な機種に共通して対応できる共用ミラーキャビネット枠として活用することができ、金型への投資額を大幅に抑えることができる。さらに、本発明の共用ミラーキャビネット枠を用いれば、ミラー付き扉体を一面鏡又は三面鏡とすること、収納体の形状を変更すること等のみにより、多種多様な組み合わせを実現したミラーキャビネットを提供することができるため、この共用ミラーキャビネット枠を備えたミラーキャビネットの製造コストも、大幅に低減することができる。
【図面の簡単な説明】
【００１４】
【図１】本発明に係るミラーキャビネット枠の正面図である。
【図２】本発明に係るミラーキャビネット枠の背面図である。
【図３】本発明に係るミラーキャビネット枠の平面図である。
【図４】本発明に係るミラーキャビネット枠の底面図である。
【図５】本発明に係るミラーキャビネット枠の右側面図である。
【図６】本発明に係るミラーキャビネット枠の左側面図である。
【図７】図１におけるＶＩＩ−ＶＩＩ線断面図である。
【図８】本発明に係るミラーキャビネット枠の斜視図である。
【図９】本発明に係るミラーキャビネット枠における被取付部の形態を説明するため奥行き方向に断面にした概略断面図である。
【図１０】第１実施形態に係るミラーキャビネットの正面図である。
【図１１】第１実施形態に係るミラーキャビネットの背面図である。
【図１２】第１実施形態に係るミラーキャビネットの平面図である。
【図１３】第１実施形態に係るミラーキャビネットの底面図である。
【図１４】第１実施形態に係るミラーキャビネットの右側面図である。
【図１５】第１実施形態に係るミラーキャビネットの左側面図である。
【図１６】図１０におけるＸＶＩ−ＸＶＩ線断面図である。
【図１７】第１実施形態に係るミラーキャビネットの斜視図である。
【図１８】第１実施形態に係るミラーキャビネットの使用状態を説明する概略説明図（概略分解斜視図）である。
【図１９】第２実施形態に係るミラーキャビネットの正面図である。
【図２０】第２実施形態に係るミラーキャビネットの背面図である。
【図２１】第２実施形態に係るミラーキャビネットの平面図である。
【図２２】第２実施形態に係るミラーキャビネットの底面図である。
【図２３】第２実施形態に係るミラーキャビネットの右側面図である。
【図２４】第２実施形態に係るミラーキャビネットの左側面図である。
【図２５】図１９におけるＸＸＶ−ＸＸＶ線断面図である。
【図２６】第２実施形態に係るミラーキャビネットの斜視図である。
【図２７】第２実施形態に係るミラーキャビネットの使用状態を説明する概略説明図（概略分解斜視図）である。
【発明を実施するための形態】
【００１５】
以下、本発明に係るミラーキャビネット、および共用ミラーキャビネット枠に関し、いくつかの実施形態を例示しつつ図面を参照しながら詳細に説明する。
【００１６】
（第１実施形態）
第１実施形態に係るミラーキャビネットＡは、洗面化粧台の上方に設置されるもので、図１０〜図１８に示すように、本発明に係る共用ミラーキャビネット枠１を備え、この共用ミラーキャビネット枠１に照明体としての例えば、任意のＬＥＤ電球２と、平面視略キノコ状で、正面側に弓なり状に張り出した正面部を有し、洗面化粧台を使用する際に用いる洗顔料、化粧品、整髪剤のボトル類やチューブ類等、その他石鹸、歯ブラシ、歯磨き粉等を収納する収納体としてのキノコ型トレー３１と、が所定の位置にそれぞれ収納され、さらにミラー付き扉体としての、例えば、一面鏡４１が、共用ミラーキャビネット枠１の被取付部１１に開閉可能に取り付けられて構成されている。なお、キノコ型トレー３１は、一面鏡４１が共用ミラーキャビネット枠１の被取付部１１に取り付けられ状態で、正面部が一面鏡４１よりも正面側に張り出すようにして所定の位置に収容される。また、上部の照明収納部１２には、ＬＥＤ電球２が収納された状態で、正面側に弓なりに湾曲した形状のカバー１８が取り付けられている。
【００１７】
共用ミラーキャビネット枠１は、図１〜図８に示すように、正面が開放され、照明体としてのＬＥＤ電球２を収納する照明収納部１２が上部に設けられた箱体内に、照明収納部１２のある上部を除いて縦に仕切る縦仕切り１３と、この縦仕切り１３により区画された２つの空間の一方の第一収納部１４を上下に区切る棚体１５と、縦仕切り１３により区画された２つの空間の他方の第二収納部１６に形成され、キノコ型トレー３１を出し入れ可能にする段部１７と、がそれぞれ設けられて構成されている。本実施形態においては、共用ミラーキャビネット枠１は、第一収納部１４を上下に区切る棚体１５が２つ設けられており、第二収納部１６の段部１７が３対設けられているが、これらを設ける数は、機種毎に決定すればよい。
【００１８】
また、共用ミラーキャビネット枠１の第一収納部１４および第二収納部１６の周縁には、図２等に示すように、一面鏡４１を開閉可能に取り付ける被取付部１１が複数箇所、例えば、８箇所設けられている。被取付部１１が複数箇所に設けられているのは、取り付けようとするミラー付き扉体が、本実施形態のように一面鏡４１であっても、それ以外の二面鏡、三面鏡等であっても、さらには、第一収納部１４の周縁にのみ取り付ける場合であっても、第１収納部１４および第二収納部１６のいずれの周縁にも取り付ける場合であっでも、それぞれの取り付け位置に対応して被取付部１１に取り付けるためである。そして、特に、図９に示すように、被取付部１１は、設けられている第一収納部１４および第二収納部１６の周縁の厚みに比べ薄厚の薄皮部１１ａが形成されるとともに、この薄皮部１１ａの両端から奥行き方向にリブ１１ｂが設けられている。これにより、被取付部１１は、一面鏡４１をビス等によって取り付けない限り、穴が形成されることがないが、一旦、ビス等にて一面鏡４１を取り付けると、リブ１１ｂによってビス等の軸部を挟むようになり、一面鏡４１を共用ミラーキャビネット枠１へ強固に固定することを可能にしている。
【００１９】
次に、キノコ型トレー３１は、図１０〜図１８に示すように、上述の通り平面視略キノコ状で、正面側へ弓なり状に張り出した正面部を有し、洗面化粧台を使用する際に用いる物品等を収納する積載容量を備えている。また、底面にローラーが配置され、又は、ミラーキャビネット枠１の段部１７に載置されるのみで第二収納部１６に収納されることで、共用ミラーキャビネット枠１の段部１７に支持されて出し入れ可能としている。
【００２０】
一面鏡４１は、本実施形態において、共用ミラーキャビネット枠１の第一収納部１４の周縁の被取付部１１に開閉可能に取り付けられている。なお、このとき、第二収納部１６の周縁に設けられている被取付部１１には一面鏡４１が取り付けられないので、ビス等によって薄皮部１１ａに穴が形成されることがなく、共用ミラーキャビネット枠１を正面視しても穴のない、審美な外観を有するものである。
【００２１】
そして、第１実施形態に係るミラーキャビネットＡでは、上述の通り、一面鏡４１が共用ミラーキャビネット枠１の被取付部１１に取り付けられ、キノコ型トレー３１がミラーキャビネット枠１の第二収納部１６の段部１７に収容された状態において、キノコ型トレー３１の正面部が、一面鏡４１よりも正面側に張り出している。
【００２２】
（第２実施形態）
第２実施形態に係るミラーキャビネットＢは、図１９〜図２７に示すものであって、上記第１実施形態に係るミラーキャビネットＡと同様、本発明に係る共用ミラーキャビネット枠１を備えて構成されている。一方、第１実施形態に係るミラーキャビネットＡと異なる構成は、ミラー付き扉体としての三面鏡４２が、第一収納部１４の周縁の被取付部１１、第二収納部１６の周縁の被取付部１１のいずれにも開閉可能に取り付けられて構成されることであり、また、共用ミラーキャビネット枠１の第二収納部１６の段部１７に収納される収納体に、Ｄ字型トレー３２を採用していることである。このＤ字型トレー３２は、右側面側から平面的に視した形態において略Ｄ字状で、Ｄ字のアールが形成されていない直線部が正面部となるものであり、かつ、この正面部の隅部から左右外側へ鍔部が設けられた形態をしている。また、第二収納部１６の段部１７に収納されると、Ｄ字型トレー３２の正面部を含め、三面鏡４２よりも背面側（第二収納部１６内）に収まるようになる。なお、Ｄ字型トレー３２は、正面部が正面側へ弓なりに張り出していない平面的な形態であるので、上記キノコ型トレー３１に比べれば積載容量が小さいものの、洗面化粧台を使用する際に用いる洗顔料、化粧品、整髪剤のボトル類やチューブ類等、その他石鹸、歯ブラシ、歯磨き粉等を収納することができる積載容量を有している。
【００２３】
ここで、三面鏡４２は、本実施形態において、共用ミラーキャビネット枠１の第一収納部１４の周縁と第二収納部１６の周縁のいずれの被取付部１１にも開閉可能に取り付けられている。これは、第１実施形態において説明した通り、共用ミラーキャビネット枠１の第一収納部１４および第二収納部１６の周縁の被取付部１１が、取り付けようとするミラー付き扉体が一面鏡であっても、二面鏡、三面鏡等であっても、さらには、第一収納部１４のみに取り付ける場合であっても、第一収納部１４および第二収納部１６に取り付ける場合であっでも、それぞれの取り付け位置に対応して複数箇所設けられているので、三面鏡４２を第一収納部１４および第二収納部１６を覆うようにして被取付部１１に取り付けることができるからである。
【００２４】
また、本実施形態において、Ｄ字型トレー３２は、上述の通り、所定の位置に収容された状態において、三面鏡４２が共用ミラーキャビネット枠１の被取付部１１に取り付けられると、三面鏡４２の背面側（第二収納部１６内）に収まるものである。そして、底面にローラーが配置され、又は、ミラーキャビネット枠１の段部１７に載置されるのみで第二収納部１６に収納されることで、共用ミラーキャビネット枠１の段部１７に支持されて、三面鏡４２が開いている状態にあれば、その出し入れが可能となる。
【００２５】
上述したように、第１実施形態に係るミラーキャビネットＡ、第２実施形態に係るミラーキャビネットＢでは、いずれも共用ミラーキャビネット枠１を備えて構成されている。すなわち、上記実施形態では、共用ミラーキャビネット枠１を作製するための金型が１つで済み、ミラーキャビネットＡやミラーキャビネットＢ毎に、個別に金型を用意する必要がなくなって、金型への投資額を大幅に抑えることに成功している。さらに、ミラー付き扉体は一面鏡４１であっても三面鏡４２であっても、それ以外でもよいので、多種多様なミラー付き扉体の組み合わせを可能とするほか、収納体をキノコ型トレー３１やＤ字型トレー３２に変更することで、ミラー付き扉体を第一収納部１４のみを覆うように取り付けたり、第一収納部１４および第二収納部１６の全体を覆うように取り付けたりすることができて、さらに多種多様な組み合わせのミラーキャビネットを実現することができ、様々な機種製品を安価に得ることが可能なものとなる。
【００２６】
さらに、共用ミラーキャビネット枠１に複数箇所設けられている被取付部１１のうち、一面鏡４１や三面鏡４２等のミラー付き扉体が取り付けられない箇所については、薄皮部１１ａによって穴が認められずに外観が審美であるので、これを備えたミラーキャビネットＡ、Ｂは、個別に金型を用意して製造したものと外観において差異のないものとなる。
【００２７】
したがって、まず、本発明に係る共用ミラーキャビネット枠１は、ミラー付き扉体を第一収納部１４のみを覆うように取り付けることや、第一収納部１４および第二収納部１６の全体を覆うように取り付けること、さらには、ミラー付き扉体を一面鏡４１や三面鏡４２とすること等の多種多様な組み合わせを可能とするとともに、個別に金型を用意することなくミラーキャビネットＡ、Ｂを構成することができ、製造コストを大幅に低減してミラーキャビネットＡ、Ｂを提供することができる。さらに、第一収納部１４および第二収納部１６の周縁に設けられている複数箇所の被取付部１１のうち、一面鏡４１や三面鏡４２を取り付けた箇所にのみ穴が形成され、それ以外の箇所の被取付部１１については、薄皮部１１ａによって正面側（外観）から穴が形成されないので、個別に金型を用意して製造したものと外観において差異のないものとすることができる。
【００２８】
以上、本発明の実施形態を例示して詳述したが、本発明は、上記実施形態に限定されるものではない。そして、本発明は、特許請求の範囲に記載された事項を逸脱することがなければ、種々の設計変更を行うことが可能である。例えば、ミラー付き扉体は、被取付部の位置を調整することで、一面鏡や三面鏡に限らないでその他のものを採用することができる。収納体の形状も設計変更可能である。さらに、第一収納部を上下に区切る棚体や第二収納部の段部の数は、適宜変更すればよいし、さらに言えば、照明収納部がある上部を除いた収納部内のレイアウトは、各種の要請に応じて適宜、設計変更することが可能である。また、上部の照明収納部に収納する照明体は、ＬＥＤ電球のほかにも、白熱電球、蛍光灯等を採用することができる。なお、本発明における一面鏡や三面鏡、収納体は、従来の製造方法、加工方法等によって用意することができ、共用ミラーキャビネット枠についても、その製造は、公知または周知の技術手段によって達成することができる。
【００２９】
また、本発明では、ミラーキャビネットの構成に関し、ミラーキャビネット枠の下部に化粧洗面台との接続壁面となるフラット面を設けるか否かについて限定していないので、適用しようとする洗面化粧台に適宜対応させ、フラット面を設けるか否かを決定すればよい。このとき、ミラーキャビネット枠を製造するための金型については、入子の有無で対応することができるため、本発明は、多種多様な機種のミラーキャビネットを構成する共用ミラーキャビネット枠として活用することができる範囲をさらに拡げるものとなる。このほか、本発明に係る共用ミラーキャビネット枠、ミラーキャビネットにおいては、第一収納部の両サイドに第二収納部の構成を設けることも可能となるものである。
【符号の説明】
【００３０】
１・・・共用ミラーキャビネット枠
１１・・被取付部
１１ａ・薄皮部
１１ｂ・リブ
１２・・照明体収納部
１３・・縦仕切り
１４・・第一収納部
１５・・棚体
１６・・第二収納部
１７・・段部
１８・・カバー
２・・・ＬＥＤ電球（照明体）
３１・・キノコ型トレー（収納体）
３２・・Ｄ字型トレー（収納体）
４１・・一面鏡
４２・・三面鏡
Ａ，Ｂ・ミラーキャビネット
【図１】
0005453653.tif 000002
【図２】
0005453653.tif 000003
【図３】
0005453653.tif 000004
【図４】
0005453653.tif 000005
【図５】
0005453653.tif 000006
【図６】
0005453653.tif 000007
【図７】
0005453653.tif 000008
【図８】
0005453653.tif 000009
【図９】
0005453653.tif 000010
【図１０】
0005453653.tif 000011
【図１１】
0005453653.tif 000012
【図１２】
0005453653.tif 000013
【図１３】
0005453653.tif 000014
【図１４】
0005453653.tif 000015
【図１５】
0005453653.tif 000016
【図１６】
0005453653.tif 000017
【図１７】
0005453653.tif 000018
【図１８】
0005453653.tif 000019
【図１９】
0005453653.tif 000020
【図２０】
0005453653.tif 000021
【図２１】
0005453653.tif 000022
【図２２】
0005453653.tif 000023
【図２３】
0005453653.tif 000024
【図２４】
0005453653.tif 000025
【図２５】
0005453653.tif 000026
【図２６】
0005453653.tif 000027
【図２７】
0005453653.tif 000028